(57)【特許請求の範囲】
【請求項１】
陰唇間パッドを内包する第１個別包装体と前記陰唇間パッドと共に使用する併用シートを内包する第２個別包装体とが、各々１以上組み合わされて外装容器に収納されている包装体であって、
前記外装容器には、内包する前記第１個別包装体及び第２個別包装体の少なくとも一部分を視認できる透明領域が設けられており、
前記透明領域には、前記陰唇間パッドを装着する身体部分の凹凸を模式的に表したデザインを備えており、
前記デザインは、透明領域において不透明又は半透明な部分を設けることにより構成されたものであり、
前記第１個別包装体及び第２個別包装体は略平板状を成しており、
前記身体部分の凹凸は陰唇を模したものであり、前記第１個別包装体は陰裂に相当する凸状部に対して直立するように配置され、前記第２個別包装体が前記凸状部に対して横倒するように配置されるものである包装体。
【発明の詳細な説明】
【技術分野】
【０００１】
本発明は、陰唇間パッドとその併用シートが組み合わされている共通梱包に関するものであり、更に詳しくは、陰唇間パッド未認知者であっても瞬時に使用方法を理解できるように工夫された包装容器に関する。
【背景技術】
【０００２】
従来より、女性の陰唇部に装着されて、経血を吸収する陰唇間パッドが知られている。このような陰唇間パッドは身体に密着するため、経血が拡散されて身体に広く接することを防ぐので、衛生的、かつ清潔なものである。また、膣内に挿入するタンポンに比べて、装着時の心理抵抗も低いという特徴を有している。
【０００３】
このような陰唇間パッドである吸収陰唇間装置の包装形態として、特許文献１が挙げられる。この特許文献１には、吸収陰唇間装置と生理用ナプキンとが同時に着用可能なように形作られており、これらを共通の梱包中に包装した女性用衛生用キッドが開示されている。このような包装形態によれば、両者を同時に使用することが着用者において容易に認識することができる。
【特許文献１】特許第３３００３７２号
【発明の開示】
【発明が解決しようとする課題】
【０００４】
しかしながら、特許文献１に記載の包装形態では、陰唇間パッドの未認知者は、陰唇間パッドをどのように使用するのか理解できず混乱してしまうおそれがある。具体的には、陰唇間パッドをどこに装着するものなのか、陰唇間パッドと生理用ナプキンとではどちらを先に装着するのか等がわからないおそれがある。
【０００５】
本発明は、以上のような課題に鑑みてなされたものであり、その目的は、陰唇間パッドと当該陰唇間パッドと併用できる併用シートとをそれぞれ別個の個別包装容器に包装した個別包装体し、両者を共通の梱包である外装容器に収納した状態で、陰唇間パッド及び併用シートの使用方法を瞬時に理解できる包装体を提供することにある。
【課題を解決するための手段】
【０００６】
より具体的には、本発明は、以下のようなものを提供する。
【０００７】
（１）  生理用品である陰唇間パッドと当該陰唇間パッドと共に使用する併用シートとを外装容器に一体的に包装して内包する包装体であって、前記陰唇間パッドが陰唇間パッド用個別包装容器に収納されて成る第１個別包装体と、前記併用シートが併用シート用個別包装容器に収納されて成る第２個別包装体とが、各々１以上組み合わされて外装容器に収納されているものであり、前記外装容器には着用者が認識できる位置に、前記陰唇間パッドと前記併用シートとの併用状態を示す表示手段が設けられているものである包装体。
【０００８】
本発明によれば、陰唇間パッドとこの陰唇間パッドと共に使用する併用シートとが一体的に外装容器内に梱包されている。そして、外装容器の表面には陰唇間パッドと併用シートとを併用した使用状態が瞬時に分かる表示手段が施されている。
【０００９】
ここで、陰唇間パッドとは陰唇間に挟み込み、併用シートとはショーツに取り付けるものであるが、このことを着用者が認知していない場合には、陰唇間パッドを陰唇に挟み込まずに併用シートの上に置いてしまうなど、誤使用される危険性が高い。
【００１０】
この点、本発明によれば、陰唇間パッドと併用シートとをどのように併用すればよいかが一目で分かるため、上述のような誤使用を回避することができる。なお、外装容器内には使用説明書等の詳細な使用方法を記載したものを入れることも可能であるが、本発明によれば、本発明に係る商品が陳列されている状態で開封できない場合であっても、内容物の使用状態を知ることができることとなる。
【００１１】
本発明における「表示手段」とは、陰唇間パッドと併用シートの使用状態を認識できるものであればよく、例えばイラストや写真、文字、点字などが例として挙げられる。これらは単独であってもよく、組み合わされていてもよい。
【００１２】
「表示手段」において、イラストや写真のみで表示されている場合には、陰唇間パッドは併用シートの上方に離間するように表示されているのが好ましい。これにより、２つの形態の異なる生理用品が内包されていることが瞬時に理解することができ、かつ、それらは別々に装着されるものであることも理解することができる。
【００１３】
なお、イラストなどで表示する場合には、身体に陰唇間パッドが接触しているように描かれることにより、陰唇間パッドは併用シートの上方に位置付けられ、かつ、身体に装着するものであることをも理解させるようすることができる。
【００１４】
（２）  前記陰唇間パッド用個別包装容器及び／又は前記併用シート用個別包装容器には、内包する前記生理用品に関係付けられた表示手段が設けられている（１）記載の包装体。
【００１５】
本発明によれば、陰唇間パッドを収納している第１個別包装体には陰唇間パッドの使用方法や特性などが、併用シートを収納する第２個別包装体には併用シートの使用方法や特性などが、それぞれ表示されている。このため、外装容器から取り出した状態であっても第１個別包装体や第２個別包装体のみでその使用方法等を知ることができる。
【００１６】
なお、「特性」としては、例えば陰唇間パッド特有の作用を表すようなイラスト、具体的には、どんなに着用者が動いても陰唇間パッドは身体に装着しているために陰唇間パッドはズレないことを表すイラストなどであっても良い。このようなものとしては、陰唇間パッドは身体に固定され、ショーツに取り付けられた併用シートとはスライドしているようなイラストが挙げられる。
【００１７】
また、陰唇間パッドと併用シートの装着順序を記す番号を付してもよい。このようにすることにより、極端に足幅を広げると陰唇間に挟みこんだ陰唇間パッドが陰唇間から外れてしまうことを理解していない着用者であっても、陰唇間パッドを身体に装着してから併用シートを装着してしまう結果、併用シート装着の間に陰唇間パッドが陰唇間から落ちてしまう、という事態を回避することができることとなる。
【００１８】
（３）  前記包装体は前記第１個別包装体のみを複数収納する第１中間包装容器、及び、前記第２個別包装体のみを複数収納する第２中間包装容器を更に備えるものであり、前記第１中間包装容器及び／又は前記第２中間包装容器には、内包する前記生理用品に関係付けられた使用方法を示す表示手段が設けられているものである（１）又は（２）記載の包装体。
【００１９】
本発明によれば、陰唇間パッドや併用シートは、陰唇間パッドや併用シートを収納する個別包装容器と、この個別包装容器に陰唇間パッドや併用シートが収納された状態の個別包装体をそれぞれ複数収納するための中間包装容器と、個別包装体が収納された状態の各々の中間包装体をそれぞれ１以上収納するための外装容器と、の３つの包装容器によって包装されている。そして、中間包装容器において、収納する陰唇間パッドや併用シートの使用方法などを示す表示手段が付されている。このため、個別包装容器よりは広い範囲でかかる表示手段を付すことができ、また個別包装容器に付された説明をいちいち見ることなく、この中間包装容器を見れば、その特性なども把握できるようになっている。
【００２０】
（４）  陰唇間パッドを内包する第１個別包装体と前記陰唇間パッドと共に使用する併用シートを内包する第２個別包装体とが、各々１以上組み合わされて外装容器に収納されている包装体であって、前記外装容器には、内包する前記第１個別包装体及び第２個別包装体の少なくとも一部分を視認（透視）できる透明領域が設けられている包装体。
【００２１】
本発明によれば、外装容器の一部が透明となっているために内部を見ることができるようになっている。このため、開封するまでもなく、内容物の確認をすることができ、未使用者であっても安心して購入することができる。
【００２２】
また、本発明では、透明領域と共に、陰唇間パッドや併用シートの使用状況を示すイラスト等を付すこともできる。このようにすることにより、外装容器を開封することなく、外面に描かれている製品の標記が内包されているどちらの生理用品に相当するか購入する前に理解できる。
【００２３】
（５）  前記透明領域には、前記陰唇間パッドを装着する身体部分の凹凸を模式的に表したデザインを備えるものである（４）記載の包装体。
【００２４】
本発明によれば、中身を透視できる透明領域において陰唇間パッドを装着する身体部分が模写されている。このため、開封するまでもなく装着状態をイメージすることができる。また、身体の形状を簡略化して表わすことにより、模様と上述の機能を併せ持つものとすることもできる。
【００２５】
（６）  前記デザインは、透明領域において不透明又は半透明な部分を設けることにより構成されたものである（５）記載の包装体。
【００２６】
本発明によれば、身体の凹凸が透明部分の一部が不透明あるいは半透明であることにより模式的に表されている。このため、よりデザイン的なものとすることができる。
【００２７】
（７）  前記第１個別包装体及び第２個別包装体は略平板状を成しており、前記身体部分の凹凸は陰唇を模したものであり、前記第１個別包装体は陰裂に相当する凸状部に対して直立するように配置され、前記第２個別包装体が前記凸状部に対して横倒するように配置されるものである（５）又は（６）記載の包装体。
【００２８】
本発明によれば、包装されている状態のまま、使用状態（着用状態）を認知できるようになっている。即ち、陰唇間パッドは陰唇に挟み込んで使用するものであるところ、陰唇を模写した凹凸部分において、凹部分に陰唇間パッドを内包する第１個別包装体が挟み込まれているように外装容器に収納されている。また、併用シートはショーツに取り付けられるものであるため、陰裂とは垂直に位置することとなるが、本発明によれば併用シートは寝かせるようにして収納されているため、このような装着状態を彷彿できるような状態となっている。即ち、透視可能な領域の形状は身体の凹凸が模写された形状であることによって、陰唇間パッドは身体のどの位置に、どのように装着されるか購入する前に理解することができるようになっている。
【００２９】
なお、外装容器内の上段に第１個別包装体、下段に第２個別包装体が配置されるようにすることにより、装着状態により近い形で着用者に両者を目視させるようにすることができる。
【００３０】
（８）  陰唇に挟み込んで使用する陰唇間パッドを内包する第１個別包装体と前記陰唇間パッドと共に使用する併用シートを内包する第２個別包装体とが、各々１以上組み合わされて外装容器に収納されている包装体であって、前記陰唇間パッド及び併用シートの使用順序に関係付けられて前記第１個別包装体及び前記第２個別包装体の収納位置が定められている包装体。
【００３１】
本発明によれば、使用手順に応じて、着用者が陰唇間パッドや併用シートを手にすることができる。即ち、装着する順番を併用シートを装着してから陰唇間パッドを身体に装着するというように仕向けることができるので、未認知者や使用不慣れな着用者であっても、混乱することなく正しい装着手順を踏むことができる。
【００３２】
（９）  前記併用シートは前記陰唇間パッドより先に着用するものであって、前記外装容器は当該外装容器が開封されるための開封手段を備えるものであり、前記第２個別包装体は前記第１個別包装体よりも前記開封手段に近い位置に配されて収納されているものである（８）記載の包装体。
【００３３】
本発明によれば、外装容器の開封口を形成する開封手段の近傍に併用シートを内包する第２個別包装体が配されている。このため、外装容器を開封したらまず第２個別包装体を手にし、併用シートを取り出して装着してから陰唇間パッドを内包する第１個別包装体を手にする、というように、自然に正しい装着順序を踏むことができる。従って、陰唇間パッドと併用シートを装着する際に、陰唇間パッドを先に身体に装着してから後で併用シートを装着してしまうことにより併用シートを装着する間に陰唇間パッドが身体から落ちてしまうということを回避できる。
【発明の効果】
【００３４】
以上のように、本発明によれば、陰唇間パッドとこれと共に使用する併用シートを一つの外装容器に内包するような包装体であっても、両者の関係を示す表示手段が付されていることにより、陰唇間パッド未認知者であっても瞬時に使用方法を理解できるので、誤使用される危険性を低下できる。
【００３５】
また、陰唇間パッドと併用シートを内包する個別包装体や、この個別包装体をそれぞれ複数個被覆する中間包装容器に、併用シートを陰唇間パッドより先に装着することを想起させる標記が描かれていることによって、着用者が陰唇間パッドや併用シート単体、もしくは複数個被覆する容器を共通梱包である外装容器から取り出したあと、携帯中に陰唇間パッドと併用シートの取り付ける順番を忘れてしまっても、描かれている標記を見て正しく使用することができる。
【００３６】
更に、陰唇間パッド及び併用シートの装着順番に関係付けられた収納とすることにより、自然と併用シートを装着してから陰唇間パッドを身体に装着するという正しい装着手順を踏むように仕向けることができる。
【発明を実施するための最良の形態】
【００３７】
以下、本発明の各実施形態を図面に基づいて説明する。なお、以下の実施形態の説明にあたって、同一の構成要件については同一符号を付し、その説明は省略もしくは簡略化する。
【００３８】
＜包装形態＞
本発明においては、陰唇間パッド及び併用シートをそれぞれ内包する個別包装体は外側で組み合わされている。即ち、一つの個別包装体の中に陰唇間パッドと併用シートが内包されている形態以外の形態を成している。具体的な例としては、陰唇間パッド個別包装体一つと併用シート個別包装体一つが外装容器に内包されている場合、陰唇間パッド個別包装体一つと併用シート個別包装体一つが接着剤などにより接合されて外装容器に内包されている場合、陰唇間パッド個別包装体複数個と併用シート個別包装体複数個が外装容器にそれぞれ同数個、あるいは異なる数量で内包されている場合、複数個の陰唇間パッド個別包装体もしくは複数個の併用シート個別包装体が中間包装容器で内包された上で、更に外装容器で内包されている場合、などが挙げられる。このように各々の個別包装体は外側で組み合わされているので、陰唇間パッドの装着に失敗して併用シートが余ってしまっても、併用シートを開封せずに済むこととなり衛生的に保管できる。
【００３９】
なお、外装容器に封入されている陰唇間パッド及び併用シートの数量を同数とすることにより、未認知者に陰唇間パッドは単独で使用するものではなく、併用シートと同時に使用するものであると再認識させることができる。また、陰唇間パッドの数量を併用シートよりも多くした場合には未認知者や使用不慣れな着用者が陰唇間パッドの装着に失敗して無駄にしてしまったとしても、予備の陰唇間パッドがあることによって、未使用の併用シートが多数発生してしまうという事態を回避することができる。
【００４０】
＜第１実施形態＞
まず、第１の実施形態について説明する。図１は陰唇間パッドと併用シートとが離間した状態を示すイラストが付された外装容器を備えた包装体を示す図であり、図２は陰唇間パッドが身体に装着している状態を表すイラストが付された外装容器を備えた包装体を示す図であり、図３は陰唇間パッドに指を使って装着する状態を示すイラストが付された外装容器を備えた包装体を示す図である。
【００４１】
図１に示すように、陰唇間パッドを陰唇間パッド用個別包装容器に封入した第１個別包装体１１と、併用シートを併用シート用個別包装容器に封入した第２個別包装体１２とが、それぞれ４個ずつ直立状態で外装容器３に封入されている。外装容器３の表面にはイラスト部１０が描かれており、このイラスト部１０において陰唇間パッド１及び併用シート２が模写されており、陰唇間パッド１が併用シート２の上方に位置付けられ、それぞれが離間しているように描かれている。このため、陰唇間パッド１が併用シートに接続されているものではなく、それぞれ別になっていることが明らかとなっている。
【００４２】
図２に示すように、外装容器３の外面には陰唇間パッド１と併用シート２を模したイラスト部１０が付されているが、陰唇間パッド１は陰唇４に接触した状態で描かれている。このため、陰唇間パッドは陰唇内に装着するものであることが明らかとなっている。
【００４３】
なお、本実施形態では陰唇を模しているが、これに限定されるものではなく、陰裂もしくは陰唇を表すような凹部が描かれているものであれば、女性の下半身全体が描かれていても良い。このような状態のイラストとすることによって、着用者は陰唇間パッドは身体に装着するものであると理解させることができる。
【００４４】
図３で示す外装容器３の外面にも、陰唇間パッド１と併用シート２を模したイラスト部１０が付されており、更に陰唇間パッド１には指５が挿入されて描かれている。この指５が描かれていることによって陰唇間パッド１の大きさを推測させることができ、かつ指５が陰唇間パッド１に挿入されている状態であるため、陰唇間パッド１の装着の仕方をも示すことができるようになっている。
【００４５】
なお、外装容器３には、併用シート２はショーツに装着するものであることを表すように、ショーツのイラストが更に描かれてあっても良く、また、陰唇間パッドは身体に、併用シートはショーツに装着するものであることを認知できるように、双方の装着状態を示すイラストとして陰唇及びショーツの双方を表すようにしてもよい。更に、陰唇間パッド特有の作用を表すようなイラストとしてもよい。
【００４６】
＜第２実施形態＞
次に、第２の実施形態について説明する。図４は中身を透視することができる透明領域を有する外装容器を備えた包装体を示す図であり、図５は透明領域に不透明領域を設けることによって身体の形状を模写した外装容器を備えた包装体を示す図である。
【００４７】
図４に示すように、陰唇間パッドが収納された第１個別包装体１１を上段に９枚、個別包装容器に併用シート封入した第２個別包装体１２を下段に３枚配置した状態で、外装容器３に封入されている包装体１３を形成している。そして、外装容器３には透視可能な透明領域６が設けられており、中身の状態を目視することができるようになっている。そして、この透明領域６以外の部分にイラスト部１０が設けられている。従って、このイラスト部１０を見て更に透明領域６を見ることにより、使用状態をより正確に認識させることができる。
【００４８】
図５に示すように、外装容器３には透視可能な透明領域６が円形状で設けられており、この透明領域６において、波上に不透明領域７が設けられている。この不透明領域７は身体の凹凸を示すものであて、本実施形態では陰裂もしくは陰唇を示すものであり、ほぼ円状の透明領域６の中心線を幅方向へ跨って凸状になっている。そして、透明領域６を通して、第１個別包装体１１が凸状の内側に沿うように直立し、第２個別包装体１２が寝かされている状態が見えるようになっているなっている。従って、外装容器３開封することなく、陰唇間パッド及び併用シートの身体に付する装着状態を確認できるようになっている。
【００４９】
＜第３実施形態＞
次に、第３の実施形態について説明する。図６は第１個別包装体を示す図であり、図７は第２個別包装体を示す図であり、図８は第１個別包装体を内包する中間包装体であり、図９は第１個別包装体を内包する中間包装体の他の例を示す図である。
【００５０】
図６（ａ）は第１個別包装体１１を示すものであり、図６（ｂ）で示すように陰唇間パッド１とこれを収納する第１個別包装容器２１とからなる。第１個別包装容器２１の外面には「身体につける」という言葉が示されている。この標記は、陰唇間パッドは身体に装着するものと想起させるものであればこの言葉に限定されるものではなく、他の言葉はもちろん、イラストが描かれてあっても良い。また標記位置は、第１個別包装容器２１の外面に限らず、第１個別包装容器２１の内面、テープ２３、陰唇間パッド１の衣服面側などであっても構わない。
【００５１】
図７（ａ）は併用シートを内包する第２個別包装体を示す図であり、図７（ｂ）に示すように、併用シート２とこれを収納する第２個別包装容器２２とから構成されている。第２個別包装容器２２の外面には「ショーツにつける」という言葉が示されている。この標記は、併用シートはショーツに装着するものと想起させるものであれば限定されるものではなく、他の言葉はもちろん、イラストが描かれていても良い。また標記位置は、第２個別包装体２２の外面に限らず、第２個別包装容器２２の内面、テープ２４、離型紙２５、併用シート２の衣服面側であっても構わない。
【００５２】
以上説明した図６や図７のように第１個別包装体や第２個別包装体自体に標記がなされていることにより、着用者が外装容器やこれらを複数個被覆する中間容器から取り出したあと、携帯中に陰唇間パッドと併用シートの取り付ける順番を忘れてしまっても、描かれている標記を見て正しく使用することができる。
【００５３】
なお、着用者が併用シートと他の生理用ナプキンとを混合して保管すると、陰唇間パッドと併用するための併用シートを瞬時に判断できず混乱してしまう危険性があるため、陰唇間パッド個別包装体と併用シート個別包装体には共通の標記が描かれていることが好ましい。具体的には、陰唇間パッドと併用シートの個別包装体もしくはテープの色は同色である、ひし形や水玉やアイテム名などの共通の柄が描かれている、共通の素材であるなどが例として挙げられる。
【００５４】
また、図８に示すように、複数の第１個別包装体１１が透明な気密性素材の中間包装容器８に気密封止して内包された第１中間包装体１８とし、第１中間包装容器８の外面には「身体につける」という言葉を付すこともできる。この標記は、陰唇間パッドは身体に装着するものと想起させるものであれば限定無く使われ、他の言葉やイラストが描かれていても良い。なお、第１中間包装容器８によって空気を充填した状態で陰唇間パッドを密閉することができるので、外圧が加わっても空気によって陰唇間パッドへの衝撃を緩衝できるようになっている。この第１中間包装容器８を後述の図１２に示されるように外装容器３に入れることができる。
【００５５】
＜第４実施形態＞
次に、第４の実施形態について説明する。図９は第２個別包装体であり、図１０は第１個別包装体の斜視図であり、図１１は第１個別包装体を内包する中間包装体の例を示す図である。
【００５６】
図９に示すように、第２個別包装体１２には装着順序を示す番号（１）が付された「（１）ショーツにつける」という言葉が示されている。このため、まず最初に併用シートを装着するということを認知させることができる。なお、この標記は、併用シートを陰唇間パッドより先に装着するものと想起させるものであれば限定無く使われ、他の言葉やイラストが描かれていても良い。標記位置は、個別包装体の外面に限らず、個別包装体の内面、テープ、離型紙、併用シートの衣服側面であっても構わない。
【００５７】
図１０には、第１個別包装体１１の外面に「（２）身体につける」という言葉が示されている。これにより、併用シートを装着した後で陰唇間パッドを装着するということが示すことができるようになっている。標記位置は、個別包装体の外面に限らず、個別包装体の内面、テープ、離型紙、陰唇間パッドの衣服側面であっても構わない。
【００５８】
そして、図１１は、複数の第１個別包装体が封入された第１中間包装体１８であり第１、第１中間包装体１８の外面には「（１）併用シートをショーツにつける」「（２）指で陰唇を開いて陰唇間パッドを身体につける」という言葉が示されている。このように、装着順序を示す番号と、装着手順や装着方法を示す文言の双方を記載するようにすることもできる。
【００５９】
＜第５実施形態＞
次に、第５の実施形態について説明する。図１２は外装容器の開封手段を形成するミシン目を備えた包装体を示す斜視図であり、図１３はミシン目が外装容器の前面から天面にかけて設けられている外装容器を備えた包装体を示す斜視図であり、図１４は外装容器の前面から側面にかけてミシン目が設けられている外装容器を具備する包装体を示す図であり、図１５は第１個別包装体と第２個別包装体が交互に収納されている包装体を示す図である。
【００６０】
図１２は外装容器３の前面から側面にかけてミシン目９が設けられている包装体１３であり、第１個別包装体１１を後面に３枚、第２個別包装体１２を前面に３枚を、寝かせた状態で外装容器３に封入している。そして、外装容器３の開封手段はミシン目９で設けられており、その近傍には第２個別包装体１２が位置するようになっている。このため、ミシン目９を左右両外方向へ開封することにより横長の取り出し口が形成されることとなり、その横長の取り出し口から寝かされた状態の第２個別包装体１２をまず取り出すことができるようになっている。従って、併用シートをショーツに取り付けてから陰唇間パッドを陰唇に挟み込むという装着作業をスムーズに行うことができる。なお、開封口を形成するための開封手段は、ミシン目のほか、ハーフカットにより形成されるようにしてもよい。
【００６１】
図１３に示すように、ミシン目９は外装容器３の前面から天面にかけて設けられていてもよい。そして、このミシン目９に沿って開封したときには着用者に対して手前になるよう第２個別包装体１２が備えられており、まず第２個別包装体１２を取り出し、次に奥側の第１個別包装体１１もスムーズに取り出すことができる。
【００６２】
図１４では、外装容器３の前面から側面にかけてミシン目９が設けられている。そして、開封したときに着用者に対して手前になるよう第２個別包装体１２を内包した第２中間包装体１９が備えられているため、着用者はまず第２中間包装体１２を取り出すことができる。なお、中間包装体１９は開封手段であるミシン目１９ａを開封することにより開封口を形成して第２個別包装体１２を取り出すことができ、第１中間包装体１８は開封手段であるノッジ１８ａから開封することにより開封口を形成して第１個別包装体１１を取り出すこととなる。
【００６３】
また、使用説明書を入れる場合には、外装容器３を開封すると同時にその存在を認識できる位置に配置することが好ましい。具体的には、外装容器の外側や外装容器の天面の裏側に接着剤などにより貼りあわせるなど挙げられるが、接着剤などで接合されていると剥離する際に外装容器３を破損する危険性があるため、図１２に示すように併用シートを内包している第２中間包装体１２の高さ寸法を陰唇間パッドを内包している第１中間包装体１１よりも小さくし、第１中間包装体１８と第２中間包装体１９との間に使用説明書が挟まれているのが好ましい例として挙げられる。
【００６４】
図１５では、第１個別包装体と第２個別包装体は、ミシン目９によって形成される開封手段から順に、第２個別包装体１２、第１個別包装体１１、第２個別包装体１２、第１個別包装体１１、というように、第２個別包装体１２と第１個別包装体１１とが交互に繰り返されて外装容器３に封入されている。これにより、より確実に併用シートと陰唇間パッドを使う順序を示唆することができる。この場合、第１個別包装体１１と第２個別包装体１２とをひとつずつワンセットとなるように接着剤などで接合しても構わない。
【００６５】
＜陰唇間パッド＞
陰唇間パッドは、着用者の陰唇間に挟んで装着されるものであり、陰唇は非常にデ離型トな部位であるため、縦長で柔軟であることが好ましい。
【００６６】
〔形状〕
形状は楕円型、瓢箪型、雫型等女性の陰唇に適合する形状であれば特に限定されない。外形の延べ寸法は、長手方向は５０〜１８０ｍｍが好ましく、８０〜１２０ｍｍがより好ましい。また、短手方向は３０〜１００ｍｍが好ましく、５０〜８０ｍｍであることがより好ましい。
【００６７】
〔構成〕
構成としては、装着状態において身体に接する面に被覆体である液体を透過させる性質を有する液透過性の表面側シートと、身体に接する面とは反対側の面に被覆体である液体を実質的に透過させない性質を有する液難透過性の裏面側シートと、表面側シートと裏面側シートとの間に配置された吸収部材とを備えているものが挙げられる。この陰唇間パッドを、個別包装容器に収納する際は、裏面側シート同士が向き合うように長手方向中心線上で折り曲げられた２つ折りの状態で封入されることとなり、個別包装容器の開封部にはこれを止着するためのテープが備えられているのが好ましい。
【００６８】
〔表面側シート〕
身体に接する面に配される表面側シートには、透水性であり、肌に刺激を与えにくい素材が使用される。このようなものとしては、ポイントボンド、スルーエア等の製造方法から得られる不織布を単独または複合した材料が挙げられる。このような材料のうち、着用者が陰唇間パッドと陰唇内壁との間にズレが生じて異物感を感じることがないよう、陰唇内壁との親和性を考慮し、少なくともセルロース系の液親水性繊維を主体とした構成とするのが好ましい。具体的には、天然コットン５〜３０％、レーヨンまたはアセテートを７０〜９５％の比率で混合した繊維を、２０〜５０ｇ／ｍ２の範囲で調整した後、水流交絡により繊維同士を絡合させて乾燥させ、厚みを０．３〜１．０ｍｍの範囲で調整したスパンレース不織布が好ましい。この際に使用する糸質は、天然コットンであれば１５〜６０ｍｍの範囲、レーヨンまたはアセテートであれば２５〜５１ｍｍの範囲で１，１〜６．６ｄｔｅｘの範囲から選ばれる。また、透過孔を有するフィルムや、繊維層にフィルムがラミネート加工され、透過孔を有するものであっても良い。
【００６９】
〔裏面側シート〕
身体と接する面の反対側の面に配される裏面側シートには、吸収体に保持された経血が陰唇間パッドの外へ漏れ出すことを防止できるものを使用することができる。また、透湿性素材とすることにより、装着時のムレを低減させることができ、装着時における不快感を低減させることが可能となる。このような難透水性のシートの材料としては、厚さ１５〜６０μｍのポリエチレン、ポリプロピレン。ポリエチレンテレフタレート、ポリビニルアルコール、ポリ乳酸、ポリブチルサクシネート、または不織布、紙及びこれらのラミネート材料が挙げられる。また、無機フィラーを充填させて延伸処理を施すことで得られる通気性フィルムであっても良い。具体的には、低密度ポリエチレン樹脂を主体として目付１５〜３０ｇ／ｍ２の範囲で調整したフィルム、更には１０〜３０％の開孔面積率で孔径０．１〜０．６ｍｍの範囲で調整した通気性フィルムが挙げられる。不織布の例としては、スパンボンド不織布やポイントボンド不織布、スルーエア不織布等が挙げられ、これに撥水処理が施されてあっても良い。なかでも極細繊維で構成され、繊維間距離が非常に小さいメルトブローンを含むＳＭＳ不織布であることが好ましい。この場合、目付は５〜１５ｇ／ｍ２・１〜１０ｇ／ｍ・５〜１５ｇ／ｍ２の範囲で構成されることが好ましい。
【００７０】
〔吸収体〕
経血等の体液を吸収する吸収体には、パルプ、化学パルプ、レーヨン、アセテート、天然コットン、高分子吸収体、繊維状高分子吸収体、合繊繊維等を単独またはこれらを混合したものからなり、嵩高であり、型崩れし難く、化学的刺激が少ないものであることが好ましい。具体的には、１．１〜６．６ｄｔｅｘの範囲から選ばれるレーヨンまたはアセテートを９５〜６０％、高分子吸収体を１〜１０％、天然コットンを４〜３０％の混合比で積層した繊維を、エンボス加工によりシート化した目付５０〜５００ｇ／ｍ２、１〜２０ｍｍの嵩を有する不織布シートが挙げられる。製法に関しては、エアレイド法、スパンレース法、抄紙法等によりシート化し、更にはニードリング、ドット状や格子状などのロール間を通過させエンボス加工を施しても良い。なお、エンボス面積率は、０．３〜６０％の範囲であることが好ましい。
【００７１】
＜陰唇間パッドの個別包装容器＞
陰唇間パッドを収納し、個別包装体を形成する個別包装容器には、厚さ１５〜６０μｍのポリエチレン、ポリプロピレン、ポリエチレンテレフタレート、ポリビニルアルコール、ポリ乳酸、ポリブチルサクシネート、または不織布、紙及びこれらのラミネート材料が挙げられる。具体的には、低密度ポリエチレン樹脂を０〜８０％の範囲のものと、高密度ポリエチレンを１００〜２０％の範囲ものとを混合して、目付１５〜３５ｇ／ｍ２の範囲に調整したフィルムが挙げられる。更には、樹脂配向を高めるために延伸加工を施したフィルムが挙げられる。不織布の例としては、スパンボンド不織布や、ポイントボンド不織布、スルーエア不織布等が挙げられ、これらに撥水処理が施されてあっても良い。なかでも極細繊維で構成され、繊維間距離が非常に小さいメルトブローンを含むＳＭＳ不織布であることが好ましい。この場合、目付は５〜１５ｇ／ｍ２・１〜１０ｇ／ｍ・５〜１５ｇ／ｍ２の範囲で構成されることが好ましい。
【００７２】
また、陰唇間パッドで吸収した経血の色を遮断できることが好ましく、顔料を０．２〜１０％の範囲で混合する、もしくはインキなどが印刷されていても良い。
【００７３】
＜併用シート＞
陰唇間パッドと共に使用する併用シートは、ショーツに貼り付けて装着するための粘着剤が設けられており、少なくとも着用状態における陰唇間パッドの裏面側の大きさよりも大きく設定され、着用中に陰唇間パッドから溢れ出した経血をその下方で受け止め吸収保持できるものが好ましい。
【００７４】
〔形状〕
形状は長方形、楕円型、瓢箪型、ショーツとのズレを防止するいわゆるウイングが搭載されている等、女性の身体及びショーツの形状に適合する形状であれば特に限定されない。外形の延べ寸法は、長手方向１００〜５００ｍｍが好ましく、１７０〜３５０ｍｍがより好ましい。また、短手方向は３０〜２００ｍｍが好ましく、４０〜１８０ｍｍであることが好ましい。
【００７５】
〔構成〕
構成としては、被覆体である液体を透過させる性質を有する液透過性の表面側シートと、被覆体である液体を実質的に透過させない性質を有する液難透過性の裏面側シートと、表面側シートと裏面側シートとの間に配置された吸収部材と、裏面側シートの裏面にはショーツとのズレを防止するための粘着剤とを備えている。また、個別包装容器に収納する際は、内面へ向けて３つ折りや４つ折りなどされた状態で封入され、個別包装容器の開封部にはテープが備えられて止着されている。更には、併用シートが個別包装容器から容易に剥がれ易くするために、個別包装容器の内面にシリコンなどによる離型処理が施されている、もしくは、離型処理されたシートなどが併用シートと個別包装体との間に設けられているようにしても良い。
【００７６】
〔吸収体〕
吸収体は、パルプ、化学パルプ、レーヨン、アセテート、天然コットン、高分子吸収体、繊維状高分子吸収体、合成繊維等を単独またはこれらを混合したものからなり、嵩高であり、型崩れし難く、化学的刺激が少ないものであることが好ましい。具体的には、パルプを８０〜１００％の範囲、高分子吸収体を２０〜０％の範囲で混合し、ティッシュで被覆した後、エンボス加工によりシート化した目付１００〜２０００ｇ／ｍ２、１〜５０ｍｍの嵩を有する吸収体が挙げられる。吸収体の製法としては、エアレイド法、スパンレース法、抄紙法、メルトブローン法等によりシート化したものを、ニードリングやドット状、格子状、波状などのロール間を通過させエンボス加工を施しても良い。また、吸収体の型崩れを防止するためにもエンボス面積率は、１０〜１００％の範囲、好ましくは３０〜８０％の範囲である。
【００７７】
併用シートが股間形状により沿い易くするために、股間形状を模写したエンボスパターン、いわゆるヒンジが表面側シートと吸収体に備えられていても良い。また、離型処理されたシートなどが併用シートと個別包装体との間に設けられている場合、そのシートは抄紙法で作られた紙などが挙げられる。
【００７８】
＜外装容器＞
陰唇間パッドを内包する第１個別包装体と併用シートを内包する第２個別包装体を共に収納するための外装容器は、材質としては、ポリエチレン、ポリプロピレン、ポリエチレンテレフタレート、ポリ乳酸、ポリブチルサクシネート、不織布や紙、それらにラミネート加工した材料、もしくはそれらにアルミ蒸着させた材料、プラスチックが挙げられる。
【産業上の利用可能性】
【００７９】
本発明は、陰唇間パッドと当該陰唇間パッドと併用する併用シートとを共に内包する包装体において、陰唇間パッドと併用シートの併用状況を開封することなく認識させるようにするものとして使用することができる。
【図面の簡単な説明】
【００８０】
【図１】本発明の第１実施形態に係る包装体の斜視図である。
【図２】本発明の第１実施形態に係る包装体の他の例を示した図である。
【図３】本発明の第１実施形態に係る包装体の他の例を示した図である。
【図４】本発明の第２実施形態に係る包装体の斜視図である。
【図５】本発明の第２実施形態に係る包装体の他の例を示した図である。
【図６】本発明の第３実施形態に係る第１個別包装体の斜視図である。
【図７】本発明の第３実施形態に係る第２個別包装体の斜視図である。
【図８】本発明の第３実施形態に係る第１中間包装体の斜視図である。
【図９】本発明の第４実施形態に係る第２個別包装体の斜視図である。
【図１０】本発明の第４実施形態に係る第１個別包装体の斜視図である。
【図１１】本発明の第４実施形態に係る第１中間包装体を示した正面図である。
【図１２】本発明の第５実施形態に係る包装体の斜視図である。
【図１３】本発明の第５実施形態に係る包装体の他の例を示す図である。
【図１４】本発明の第５実施形態に係る包装体の他の例を示す図である。
【図１５】本発明の第５実施形態に係る包装体の他の例を示す図である。
【符号の説明】
【００８１】
１  陰唇間パッド
２  併用シート
３  外装容器
４  陰唇
５  指
６  透明領域
７  不透明領域
８  第１中間包装容器
９  ミシン目
１０  イラスト部
１１  第１個別包装体
１２  第２個別包装体
１３  包装体
１８  第１中間包装体
１９  第２中間包装体
２１  第１個別包装容器
２２  第２個別包装容器
２３、２４  テープ
【図１】
0004689193.tif 000002
【図２】
0004689193.tif 000003
【図３】
0004689193.tif 000004
【図４】
0004689193.tif 000005
【図５】
0004689193.tif 000006
【図６】
0004689193.tif 000007
【図７】
0004689193.tif 000008
【図８】
0004689193.tif 000009
【図９】
0004689193.tif 000010
【図１０】
0004689193.tif 000011
【図１１】
0004689193.tif 000012
【図１２】
0004689193.tif 000013
【図１３】
0004689193.tif 000014
【図１４】
0004689193.tif 000015
【図１５】
0004689193.tif 000016